(57)【要約】【課題】検査の重要度に応じて、検査に含まれる検査画像のサムネイルの大きさを自動で変更してサムネイルリストを表示する読影装置等を提供する。【解決手段】読影装置は、ユーザ設定モダリティ、ユーザ設定部位、サムネイルサイズをデータベースから読み込み（Ｓ１１、Ｓ１２）、当日撮影された検査の検査画像と検査情報を画像サーバから読み込み（Ｓ１３）、検査情報から、モダリティ、検査部位を取得する（Ｓ１４）。読影装置は、モダリティがユーザ設定モダリティでなければ、検査画像を小サムネイルでサムネイルリストに表示し（Ｓ１６）、モダリティがユーザ設定モダリティであり検査部位がユーザ設定部位でなければ、検査画像を中サムネイルでサムネイルリストに表示し（Ｓ１８）、モダリティがユーザ設定モダリティであり検査部位がユーザ設定部位であれば、検査画像を大サムネイルでサムネイルリスト表示する（Ｓ１９）。【選択図】図６
2016148972.tif 000002
【特許請求の範囲】
【請求項１】
検査ごとに撮影された医用画像を記憶する記憶手段と、
前記検査の重要度に基づいて、前記医用画像のサムネイルのサイズを決定する決定手段と、
前記検査ごとに前記医用画像の１つを決定された前記サイズのサムネイルに縮小して、サムネイルリストに表示するサムネイル表示手段と、
選択された前記検査の前記医用画像を表示する画像表示手段と、
を備えることを特徴とする読影装置。
【請求項２】
前記検査の前記医用画像には検査情報が付随しており、
前記決定手段は、予めユーザが設定した検査情報と前記検査の前記医用画像に付随する前記検査情報とに基づいて、前記検査の重要度を決定する
ことを特徴とする請求項１に記載の読影装置。
【請求項３】
前記検査情報は、読影済みか否かを示す情報を含み、
前記サムネイル表示手段は、前記医用画像が読影済みである場合には、縮小した前記サムネイルを強調して表示する
ことを特徴とする請求項２に記載の読影装置。
【請求項４】
前記検査の前記医用画像には検査情報が付随しており、
前記決定手段は、前記画像表示手段が参照用に表示している前記医用画像の前記検査情報と前記検査の前記医用画像に付随する前記検査情報とに基づいて、前記検査の重要度を決定する
ことを特徴とする請求項１に記載の読影装置。
【請求項５】
前記決定手段は、前記検査の重要度が高いものの前記サムネイルのサイズを大きいものにし、前記検査の重要度が中程度のものの前記サムネイルのサイズを中程度のものにし、前記検査の重要度が低いものの前記サムネイルのサイズを小さいものにする
ことを特徴とする請求項１に記載の読影装置。
【請求項６】
前記検査情報は、モダリティの情報、及び、検査部位の情報を含み、
前記決定手段は、前記モダリティ及び前記検査部位が一致する場合には前記検査の重要度を高いとし、前記モダリティが一致し前記検査部位が一致しない場合には前記検査の重要度を中程度とし、それ以外の場合には前記検査の重要度を低いとする
ことを特徴とする請求項２乃至請求項５のいずれか１項に記載の読影装置。
【請求項７】
検査ごとに撮影された医用画像を記憶する記憶ステップと、
前記検査の重要度に基づいて、前記医用画像のサムネイルのサイズを決定する決定ステップと、
前記検査の前記医用画像の１つを決定された前記サイズのサムネイルに縮小して、サムネイルリストに表示するサムネイル表示ステップと、
選択された前記検査の前記医用画像を表示する画像表示ステップと、
を含むことを特徴とするサムネイル表示方法。
【請求項８】
コンピュータを、
検査ごとに撮影された医用画像を記憶する記憶手段、
前記検査の重要度に基づいて、前記医用画像のサムネイルのサイズを決定する決定手段、
前記検査の前記医用画像の１つを決定された前記サイズのサムネイルに縮小して、サムネイルリストに表示するサムネイル表示手段、
選択された前記検査の前記医用画像を表示する画像表示手段、
として機能させるためのプログラム。
【発明の詳細な説明】
【技術分野】
【０００１】
本発明は、医用画像を読影用に表示する読影装置において、医用画像を縮小したサムネイルを表示する表示方法に関する。
【背景技術】
【０００２】
読影装置は、Ｘ線ＣＴ装置、ＭＲＩ装置、透視撮影装置、ＰＥＴ装置等の撮影装置で撮影された医用画像（以下、単に画像ともいう）を表示し、医師等のユーザに読影するための環境を提供するためのものである。撮影装置で撮影された医用画像はＰＡＣＳ（Picture Archiving and Communication System）に送信され、保管される。読影装置はＰＡＣＳから医用画像を取得し、読影用に医用画像を表示する。
【０００３】
検査では撮影装置において複数の撮影を行い、一回の撮影で複数の画像を取得するため、検査には複数の画像が含まれる。検査の結果に含まれる複数の画像のうち代表的な画像を代表画像という。
【０００４】
読影装置は検査内の代表画像を表示する際に、代表画像を縮小したサムネイルを使用する。読影装置はサムネイルを使用することにより、複数の代表画像を一覧できるように列挙したサムネイルリストを表示する。ユーザはサムネイルリストを確認して、検査に含まれる代表画像を見ながら読影対象の検査を選択する。
【０００５】
従来の読影装置のサムネイルリストでは、検査の代表画像を等しい大きさで縮小して表示しており、それぞれの検査の代表画像を単に表示するものであった。
【０００６】
例えば、特許文献１には、ファイルの内容を表すサムネイルを表示する際に、
ユーザにサムネイルのサイズを大、中、小の３段階で選択させて表示する表示方法が開示されている。
【先行技術文献】
【特許文献】
【０００７】
【特許文献１】特開２００６−２９３７５１号公報
【発明の概要】
【発明が解決しようとする課題】
【０００８】
しかしながら、従来の読影装置におけるサムネイル表示では、検査の代表画像を同じ大きさで表示するため、視覚的に読影する検査を把握しづらい。また、選択するための情報を与えるだけの十分な大きさですべてのサムネイルを表示しようとすると複数のサムネイルを十分に表示することはできず、スクロールバーなどの手段を使ってユーザは手動でサムネイルを探さなければならず、ユーザに負担を与える。
【０００９】
また、特許文献１の方法では、サムネイルを小さくすることでより多くのサムネイルを同時に表示することはできるが、情報量が小さくなりどれがユーザにとって重要度の高い検査であるかを視覚的に把握することはできない。サムネイルから重要度を把握するにはサムネイルを大きくするか、別の方法で重要度を表す情報を表示しなくてはならず、読影の効率を下げる。
【００１０】
本発明は、以上の問題点に鑑みてなされたものであり、その目的とすることは、検査の重要度に応じて、検査に含まれる医用画像のサムネイルの大きさを自動で変更してサムネイルリストに表示する読影装置等を提供することを目的とする。
【課題を解決するための手段】
【００１１】
前述した目的を達成するために第１の発明は、検査ごとに撮影された医用画像を記憶する記憶手段と、前記検査の重要度に基づいて、前記医用画像のサムネイルのサイズを決定する決定手段と、前記検査ごとに前記医用画像の１つを決定された前記サイズのサムネイルに縮小して、サムネイルリストに表示するサムネイル表示手段と、選択された前記検査の前記医用画像を表示する画像表示手段と、を備えることを特徴とする読影装置である。
【００１２】
第２の発明は、検査ごとに撮影された医用画像を記憶する記憶ステップと、前記検査の重要度に基づいて、前記医用画像のサムネイルのサイズを決定する決定ステップと、前記検査の前記医用画像の１つを決定された前記サイズのサムネイルに縮小して、サムネイルリストに表示するサムネイル表示ステップと、選択された前記検査の前記医用画像を表示する画像表示ステップと、を含むことを特徴とするサムネイル表示方法である。
【００１３】
第３の発明は、コンピュータを、検査ごとに撮影された医用画像を記憶する記憶手段、前記検査の重要度に基づいて、前記医用画像のサムネイルのサイズを決定する決定手段、前記検査の前記医用画像の１つを決定された前記サイズのサムネイルに縮小して、サムネイルリストに表示するサムネイル表示手段、選択された前記検査の前記医用画像を表示する画像表示手段、として機能させるためのプログラムである。
【発明の効果】
【００１４】
本発明により、検査の重要度に応じて、検査に含まれる医用画像のサムネイルの大きさを自動で変更してサムネイルリストに表示する読影装置等を提供することができる。
【図面の簡単な説明】
【００１５】
【図１】院内システムの構成の一例を示す図
【図２】読影装置及び画像サーバのハードウェア構成を示すブロック図
【図３】ユーザ情報の一例を示す図
【図４】読影画面及び参照画面の一例を示す図
【図５】読影画面及び参照画面のサムネイルリスト部の一例を示す図
【図６】第１の実施形態に係るサムネイルリスト部にサムネイルを表示する処理の流れを示すフローチャート
【図７】第１の実施形態に係る読影画面のサムネイルリスト部の一例を示す図
【図８】第２の実施形態に係るサムネイルリスト部にサムネイルを表示する処理の流れを示すフローチャート
【図９】第２の実施形態に係る参照画面のサムネイルリスト部の一例を示す図
【図１０】条件設定画面の一例を示す図
【発明を実施するための形態】
【００１６】
以下、図面に基づいて、本発明の実施形態を詳細に説明する。
【００１７】
図１は、病院内の院内システム４の構成の一例を示す図である。
院内システム４は、読影装置１と画像サーバ２とがＬＡＮ（Local Area Network）等のネットワーク３を介して接続されたシステムである。なお、画像サーバ２は、病院外にあってもよい。
【００１８】
読影装置１は、汎用のコンピュータで構成され、画像サーバ２からＤＩＣＯＭ（Digital Imaging and COmmunication in Medicine）通信により検査に係る検査画像（医用画像。以下、単に画像ともいう）を取得し、読影用に表示する。
【００１９】
読影装置１は、その際に、検査に含まれる複数の検査画像のうち代表的な代表画像を縮小してサムネイルとし、複数のサムネイルをサムネイルリストに表示する。読影装置1は、ユーザによりサムネイルリストからサムネイルの選択を受け付けると、選択されたサムネイルに係る検査の検査画像を読影用に表示する。
【００２０】
画像サーバ２は、汎用のコンピュータで構成され、例えば、ＰＡＣＳ等である。画像サーバ２は、Ｘ線ＣＴ装置、ＭＲＩ装置、透視撮影装置、ＰＥＴ装置等の撮影装置で撮影された検査画像及び検査情報を受信し保存する。また、画像サーバ２は、読影装置１から画像送信要求があった場合には、保存している検査画像及び検査情報を送信する。
【００２１】
画像サーバ２が記憶している画像ファイルのフォーマットは、ＤＩＣＯＭ規格に沿ったＤＩＣＯＭファイルを想定している。ＤＩＣＯＭファイルは複数のメタ情報等から構成され、メタ情報はデータの種類を示すタグ（ＤＩＣＯＭタグ）及びデータ本体等から構成される。データ本体は画像や検査に付随する検査情報である。検査情報には例えば、患者名、患者識別子、撮影装置の情報であるモダリティ、検査部位、検査日時、検査記述、検査コメント、撮影装置の製造業者名、製造業者のモデル名等がある。
【００２２】
ただし、本実施形態で必要となる画像と対応する検査情報とを取得できるものであれば、画像ファイルのフォーマットは問わない。
【００２３】
なお、読影装置１と画像サーバ２とは一体として構成されていてもよい。また、読影装置１の記憶部１２に予め検査画像及び検査情報を記憶しておいてもよい。
【００２４】
図２は、読影装置１及び画像サーバ２のハードウェア構成を示すブロック図である。なお、図２のハードウェア構成は一例であり、用途、目的に応じて様々な構成をとることが可能である。
【００２５】
読影装置１（画像サーバ２）を実現するコンピュータは、制御部１１、記憶部１２、入出力部１３、通信制御部１４、入力部１５、表示部１６、及び、周辺機器Ｉ／Ｆ部１７等が、バス１８を介して接続される。
【００２６】
制御部１１は、ＣＰＵ（Central
Processing Unit）、ＲＯＭ（Read Only Memory）、ＲＡＭ（Random Access Memory）等で構成される。ＣＰＵは、記憶部１２、ＲＯＭ、記録媒体等に格納されるプログラムをＲＡＭ上のワークメモリ領域に呼び出して実行し、バス１８を介して接続された各装置を駆動制御し、後述する処理を実現する。ＲＯＭは、不揮発性メモリであり、コンピュータのブートプログラムやＢＩＯＳ等のプログラム、データ等を恒久的に保持している。ＲＡＭは、揮発性メモリであり、記憶部１２、ＲＯＭ等からロードしたプログラム、データ等を一時的に保持するとともに、制御部１１が各種処理を行う為に使用するワークエリアを備える。
【００２７】
記憶部１２は、例えば、ＨＤＤ（Hard Disk Drive）であり、制御部１１が実行するプログラム、プログラム実行に必要なデータ、ＯＳ（Operating System）等が格納される。これらの各プログラムコードは、制御部１１により必要に応じて読み出されてＲＡＭに移され、各種の手段として実行される。
【００２８】
入出力部１３（ドライブ装置）は、データの入出力を行い、例えば、ＣＤドライブ、ＤＶＤドライブ等のメディア入出力装置を有する。通信制御部１４は、通信制御装置、通信ポート等を有し、ネットワークを介して、他のコンピュータ間との通信制御を行う。
【００２９】
入力部１５は、データの入力を行い、例えば、キーボード、マウス等のポインティングデバイス、テンキー等の入力装置を有する。入力部１５を介して、コンピュータに対して、操作指示、動作指示、データ入力等を行うことができる。表示部１６は、ＣＲＴモニタ、液晶パネル等のディスプレイ装置、ディスプレイ装置と連携してコンピュータのビデオ機能を実現するための論理回路等（ビデオアダプタ等）を有する。
【００３０】
周辺機器Ｉ／Ｆ（インタフェース）部１７は、コンピュータに周辺機器を接続させるためのポートであり、周辺機器Ｉ／Ｆ部１７を介してコンピュータは周辺機器（プリンタ、イメージスキャナ、複合機等）とのデータの送受信を行う。周辺機器Ｉ／Ｆ部１７は、ＵＳＢやＩＥＥＥ１３９４やＲＳ−２３２Ｃ等で構成されており、通常複数の周辺機器Ｉ／Ｆを有する。バス１８は、各装置間の制御信号、データ信号等の授受を媒介する経路である。
【００３１】
図３は、読影装置１の記憶部１２のデータベースに記憶されているユーザ情報３１の一例を示す図である。
【００３２】
ユーザ情報３１は、ユーザごとに設定される情報であり、サムネイルを表示する際のサイズを決定するための条件となる情報である。ユーザ情報３１は、ユーザＩＤ３２、ユーザ設定モダリティ３３、ユーザ設定部位３４、及び、サムネイルサイズ３５を含んで構成される。
【００３３】
ユーザＩＤ３２は、ユーザを一意に識別する識別子である。
ユーザ設定モダリティ３３は、ユーザが読影する検査画像を撮影したモダリティ装置（撮影装置）の情報である。
ユーザ設定部位３４は、ユーザが読影する検査画像に撮影されている体の部位の情報である。
サムネイルサイズ３５は、検査画像をサムネイルで表示する際のサイズであり、複数のサイズが設定される。例えば３段階にサムネイルのサイズを設定する場合には、大：（６４ｘ６４）、中：（３２ｘ３２）、小：（１６ｘ１６）である。
【００３４】
図４は、読影装置１の表示部１６に表示される読影画面（及び参照画面）４１の一例を示す図である。
読影画面（及び参照画面）４１は、サムネイルリスト部４２と画像表示部４３とを含んで構成される。サムネイルリスト部４２は、当日撮影済みの検査の画像のサムネイルがサムネイルリストとして表示される。画像表示部４３は、サムネイルリストで選択した検査の検査画像が表示される。
【００３５】
図５は、読影画面４１のサムネイルリスト部４２の一例を示す図である。
サムネイルリスト部４２は、３段階でサムネイルの大きさを表示する場合には、大サムネイルリストエリア５１、中サムネイルリストエリア５２、小サムネイルリストエリア５３から構成される。
【００３６】
大サムネイルリストエリア５１は、重要度が高いと判定された検査（例えば、ユーザが読影すべき検査）に係る検査画像のサムネイルが大サムネイル５４として表示されるエリアである。
中サムネイルリストエリア５２は、重要度が中程度と判定された検査（例えば、ユーザは読影しないが関連する検査）に係る検査画像のサムネイルが中サムネイル５５として表示されるエリアである。
小サムネイルリストエリア５３は、重要度が低いと判定された検査（例えば、ユーザに関連しない検査）に係る検査画像のサムネイルが小サムネイル５６として表示されるエリアである。
【００３７】
図５に示すように、大サムネイル５４は中サムネイル５５より大きく表示され、中サムネイル５５は小サムネイル５６より大きく表示される。
【００３８】
＜第１の実施形態＞
第１の実施形態は、読影装置１の読影画面４１において、当日の検査の検査画像をユーザが読影している状況でのサムネイルの表示方法（読影時の表示方法）である。
【００３９】
図６は、第１の実施形態に係るサムネイルを表示する処理の流れを示すフローチャートである。読影装置１の記憶部１２には、図３に示したユーザ情報３１が記憶されているものとする。
【００４０】
まず、ステップＳ１１において、読影装置１の制御部１１は、ユーザ毎に設定されているサムネイルのサイズを決定するための条件であるユーザ設定モダリティ３３及びユーザ設定部位３４を、データベースのユーザ情報３１から読み込む。
【００４１】
次に、ステップＳ１２において、読影装置１の制御部１１は、ユーザ毎に設定されているサムネイルサイズ３５を、データベースのユーザ情報３１から読み込む。サムネイルサイズ３５は、３段階にサムネイルのサイズが設定されている場合には、例えば、大：（６４ｘ６４）、中：（３２ｘ３２）、小：（１６ｘ１６）である。
【００４２】
次に、ステップＳ１３において、読影装置１の制御部１１は、当時撮影された検査の検査画像と対応する検査情報とを画像サーバ２（ＰＡＣＳ）から読み込む。
【００４３】
次に、ステップＳ１４において、読影装置１の制御部１１は、ステップＳ１３で読み込んだ検査情報からモダリティ、検査部位、読影ステータスの情報を取得する。
【００４４】
次に、ステップＳ１５において、読影装置１の制御部１１は、ステップＳ１４で取得したモダリティが、ステップＳ１１で読み込んだユーザ設定モダリティ３３と一致するかどうか判定する。
【００４５】
一致しない場合には（ステップＳ１５でＮＯ）、ステップＳ１６において、読影装置１の制御部１１は、検査情報に係る検査の重要度を低いとし、検査情報に対応する検査画像の１つから、サムネイルサイズ３５の小で示される１６ｘ１６のサイズのサムネイルを生成して、サムネイルリスト部４２の小サムネイルリストエリア５３に表示する。
なお、読影装置１の制御部１１は、検査画像から対応するサムネイルを生成する際には、アフィン変換などの一般的な画像処理を行うが、指定されたサイズに変換できればその方法は問わない。
【００４６】
一方、一致する場合には（ステップＳ１５でＹＥＳ）、ステップＳ１７において、読影装置１の制御部１１は、ステップＳ１４で取得した検査部位が、ステップＳ１１で読み込んだユーザ設定部位３４と一致するかどうか判定する。
【００４７】
一致しない場合には（ステップＳ１７でＮＯ）、ステップＳ１８において、読影装置１の制御部１１は、検査情報に係る検査の重要度を中程度とし、検査情報に対応する検査画像の１つから、サムネイルサイズ３５の中で示される３２ｘ３２のサイズのサムネイルを生成して、サムネイルリスト部４２の中サムネイルリストエリア５２に表示する。
【００４８】
一方、一致する場合には（ステップＳ１７でＹＥＳ）、ステップＳ１９において、読影装置１の制御部１１は、検査情報に係る検査の重要度を高いとし、検査情報に対応する検査画像の１つから、サムネイルサイズ３５の大で示される６４ｘ６４のサイズのサムネイルを生成して、サムネイルリスト部４２の大サムネイルリストエリア５１に表示する。
【００４９】
また、ステップＳ１６又はステップＳ１８の後に、ステップＳ２０において、読影装置１の制御部１１は、ステップＳ１４で取得した読影ステータスが読影済か否か判定する。
【００５０】
読影済である場合には（ステップＳ２０でＹＥＳ）、読影装置１の制御部１１は、小サムネイルリストエリア５３又は中サムネイルリストエリア５２に表示したサムネイルの枠を強調表示にする。
【００５１】
ステップＳ１９、ステップＳ２１、又は、ステップＳ２０でＮＯの後に、ステップＳ２２において、読影装置１の制御部１１は、当日撮影された検査画像がまだあるか否か判定する。
【００５２】
まだある場合には（ステップＳ２２でＹＥＳ）、読影装置１の制御部１１は、ステップＳ１３へ戻る。
もうない場合には（ステップＳ２２でＮＯ）、ステップＳ２３において、読影装置１の制御部１１は、ユーザによって、サムネイルリスト部４２に表示したサムネイルが選択されたか否か判定する。
【００５３】
選択された場合には（ステップＳ２３でＹＥＳ）、ステップＳ２４において、読影装置１の制御部１１は、選択されたサムネイルに係る検査の検査画像を、読影用に読影画面４１の画像表示部４３に表示する。
【００５４】
図７は、図６のフローチャートを実行した際の読影装置１の読影画面４１に表示されるサムネイルリスト部４２の例を示す図である。
大サムネイルリストエリア５１には、検査情報のモダリティがユーザ設定モダリティ３３でありかつ検査部位がユーザ設定部位３４である検査画像のサムネイルが、大サムネイル５４で表示される（ステップＳ１９）。
【００５５】
中サムネイルリストエリア５２には、検査情報のモダリティがユーザ設定モダリティ３３であるが検査部位がユーザ設定部位３４でない検査画像のサムネイルが、中サムネイル５５で表示される（ステップＳ１８）。また、検査情報の検査ステータスが読影済である場合には、枠を強調して中サムネイル５５ａで表示される。
小サムネイルリストエリア５３には、検査情報のモダリティがユーザ設定モダリティ３３でない検査画像のサムネイルが、小サムネイル５６で表示される（ステップＳ１６）。また、検査情報の検査ステータスが読影済である場合には、枠を強調して小サムネイル５６ａで表示される。
【００５６】
第１実施形態の読影装置１によれば、検査画像のサムネイルを検査の重要度に応じてサイズを変えてサムネイルリストに表示することができる。
また、第１実施形態の読影装置１によれば、当日の検査の検査画像の読影状態を視覚的に把握でき、読影の効率化に寄与することができる。
また、第１実施形態の読影装置１によれば、読影しているユーザ以外の読影状態を確認できるため、自分が担当している検査の読影がすべて終了すれば、他のユーザの読影状況を把握し、読影の支援をすることができる。
また、第１実施形態の読影装置１によれば、ユーザの好みに応じて、検査の重要度の定義や、サムネイルのサイズを変更することができる。
【００５７】
＜第２の実施形態＞
第２の実施形態は、読影装置１の参照画面４１において、ユーザが画像参照している状況でのサムネイルの表示方法（参照時の表示方法）である。画像参照とは、読影済みの画像を後から表示し、患者の説明などに使用する行為である。第２の実施形態では、ある検査の画像参照をするときに、参照する検査と同一の患者の関連する検査の検査画像をサムネイルに表示する。
【００５８】
図８は、第２の実施形態に係るサムネイルを表示する処理の流れを示すフローチャートである。読影装置１の記憶部１２には、図３に示したユーザ情報３１（サムネイルサイズ３５）が記憶されているものとする。
【００５９】
まず、ステップＳ３１において、読影装置１の制御部１１は、参照したい検査画像（以下、参照画像という）を参照用に表示する。
【００６０】
次に、ステップＳ３２において、読影装置１の制御部１１は、参照画像の検査情報から、参照画像のモダリティ及び検査部位の情報を取得する。
【００６１】
次に、ステップＳ３３において、読影装置１の制御部１１は、ユーザ毎に設定されているサムネイルサイズ３５を、データベースのユーザ情報３１から読み込む。サムネイルサイズ３５は、３段階にサムネイルのサイズが設定されている場合には、例えば、大：（６４ｘ６４）、中：（３２ｘ３２）、小：（１６ｘ１６）である。
【００６２】
次に、ステップＳ３４において、読影装置１の制御部１１は、参照画像と同じ患者の検査画像と対応する検査情報とを画像サーバ２（ＰＡＣＳ）から読み込む。
【００６３】
次に、ステップＳ３５において、読影装置１の制御部１１は、ステップＳ３４で読込んだ検査情報からモダリティ、検査部位の情報を取得する。
【００６４】
次に、ステップＳ３６において、読影装置１の制御部１１は、ステップＳ３５で取得したモダリティが、ステップＳ３２で取得した参照画像のモダリティと一致するかどうか判定する。
【００６５】
一致しない場合には（ステップＳ３６でＮＯ）、ステップＳ３７において、読影装置１の制御部１１は、検査情報に係る検査の関連性（重要度）を低いとし、検査情報に対応する検査画像の１つから、サムネイルサイズ３５の小で示される１６ｘ１６のサイズのサムネイルを生成して、サムネイルリスト部４２の小サムネイルリストエリア５３に表示する。
【００６６】
一方、一致する場合には（ステップＳ３６でＹＥＳ）、ステップＳ３８において、読影装置１の制御部１１は、ステップＳ３５で取得した検査部位が、ステップＳ３２で取得した参照画像の検査部位と一致するかどうか判定する。
【００６７】
一致しない場合には（ステップＳ３８でＮＯ）、ステップＳ３９において、読影装置１の制御部１１は、検査情報に係る検査の関連性（重要度）を中程度とし、検査情報に対応する検査画像の１つから、サムネイルサイズ３５の中で示される３２ｘ３２のサイズのサムネイルを生成して、サムネイルリスト部４２の中サムネイルリストエリア５２に表示する。
【００６８】
一方、一致する場合には（ステップＳ３８でＹＥＳ）、ステップＳ４０において、読影装置１の制御部１１は、検査情報に係る検査の関連性（重要度）を高いとし、検査情報に対応する検査画像の１つから、サムネイルサイズ３５の大で示される６４ｘ６４のサイズのサムネイルを生成して、サムネイルリスト部４２の大サムネイルリストエリア５１に表示する。
【００６９】
ステップＳ３７、ステップＳ３９、又は、ステップＳ４０の後に、ステップＳ４１において、読影装置１の制御部１１は、同じ患者の検査画像がまだあるか否か判定する。
【００７０】
まだある場合には（ステップＳ４１でＹＥＳ）、読影装置１の制御部１１は、ステップＳ３４へ戻る。
もうない場合には（ステップＳ４１でＮＯ）、ステップＳ４２において、読影装置１の制御部１１は、ユーザによって、サムネイルリスト部４２に表示したサムネイルが選択されたか否か判定する。
【００７１】
選択された場合には（ステップＳ４２でＹＥＳ）、ステップＳ４３において、読影装置１の制御部１１は、選択されたサムネイルに係る検査の検査画像を、参照用に読影画面４１の画像表示部４３に表示する。
【００７２】
図９は、図８のフローチャートを実行した際の読影装置１の読影画面４１に表示されるサムネイルリスト部４２の例を示す図である。
大サムネイルリストエリア５１には、検査情報においてモダリティが参照画像のモダリティと同一でありかつ検査部位が参照画像の検査部位と同一である検査画像のサムネイルが、大サムネイル５４で表示される（ステップＳ４０）。
【００７３】
中サムネイルリストエリア５２には、検査情報においてモダリティが参照画像のモダリティと同一であり検査部位が参照画像の検査部位と同一でない検査画像のサムネイルが、中サムネイル５５で表示される（ステップＳ３９）。
小サムネイルリストエリア５３には、検査情報のモダリティが参照画像のモダリティと同一でない検査画像のサムネイルが、小サムネイル５６で表示される（ステップＳ３７）。
【００７４】
第２実施形態の読影装置１によれば、検査画像のサムネイルを検査の関連性（重要度）に応じてサイズを変えてサムネイルリストに表示することができる。
また、第２実施形態の読影装置１によれば、参照画像に関連する検査の検査画像を視覚的に把握することができる。また、同じ患者のすべての検査の関連性を視覚的に把握することができる。
また、第２実施形態の読影装置１によれば、ユーザの好みに応じてサムネイルのサイズを変更することができる。
【００７５】
＜第３の実施形態＞
第１の実施形態及び第２の実施形態では、読影装置１がサムネイルを表示する際のサムネイルサイズを決定するための条件（図６のフローチャートのステップＳ１５及びステップＳ１７、図８のフローチャートのステップＳ３６及びステップＳ３８）は固定されていたが、この条件はユーザが任意に設定可能である。
【００７６】
第３の実施形態では、読影装置１が表示するサムネイルサイズを決定するための条件を設定する条件設定画面、及び、前述のサムネイルを表示する処理の変更点等について説明する。
【００７７】
図１０は、読影装置１が表示するサムネイルサイズを決定するための条件を設定する条件設定画面１０１の例を示す図である。
条件設定画面１０１は、サムネイルサイズごとのタブ１０２、１０３、１０４と、ＤＩＣＯＭタグを選択するプルダウンリスト１０５と、条件入力エリア１０６とから構成される。
【００７８】
サムネイルサイズごとのタブ１０２、１０３、１０４は、サムネイルサイズごとに条件設定をするための画面切り替え用のタブである。図１０の例では、大サムネイルの条件設定を行うための大サムネイルタブ１０２が選択されている。なお、図１０の例では、大サムネイルタブ１０２、中サムネイルタブ１０３、小サムネイルタブ１０４の３つを示しているが、サムネイルサイズの個数に合わせてタブは、２つであっても又は４つ以上であってもよい。
【００７９】
プルダウンリスト１０５は、条件を指定したいＤＩＣＯＭタグを選択するためのものである。プルダウンリスト１０５をクリックすると、条件を指定できるタグ一覧が表示される。このタグ一覧は、読影時や参照時に使用可能な代表的なものである。図１０の例では、５個の条件を指定可能となっているが条件の数は増減可能である。
【００８０】
条件入力エリア１０６は、プルダウンリスト１０５で選択したＤＩＣＯＭタグに対する条件（値）を入力するためのものである。例えば、「（００１０、００１０）モダリティ」のＤＩＣＯＭタグに対して「ＭＲ」の条件を入力し、「（００１８、００１５）検査部位」のＤＩＣＯＭタグに対して「ＢＲＡＩＮ」の条件を入力する。
【００８１】
読影装置１は、プルダウンリスト１０５で選択したＤＩＣＯＭタグが、条件入力エリア１０６で指定した条件（値）になっている場合に、タブ（１０２、１０３又は１０４）に対応するサムネイルサイズでサムネイルを表示する。
【００８２】
なお、条件設定画面１０１において、タブに対応するサムネイルサイズの値も入力できるようにしてもよい。例えば、６４ｘ６４、３２ｘ３２、１６ｘ１６等である。
【００８３】
以下では、大サムネイルタブ１０２で設定された条件（ＤＩＣＯＭタグとその条件）を大サムネイル表示条件といい、中サムネイルタブ１０３で設定された条件を中サムネイル表示条件といい、小サムネイルタブ１０４で設定された条件を小サムネイル表示条件という。
【００８４】
＜＜第１の実施形態の変更点＞＞
第１の実施形態では、予め、読影装置１の記憶部１２のデータベースにユーザ情報３１として、ユーザＩＤに対応させて、大サムネイル表示条件、中サムネイル表示条件、小サムネイル表示条件を記憶する。
【００８５】
図６の第１の実施形態に係るサムネイルを表示する処理のフローチャートにおける変更点は以下のとおりである。
【００８６】
ステップＳ１１では、読影装置１の制御部１１は、ユーザ毎に設定されているサムネイルの大きさを決定するための条件である大サムネイル表示条件、中サムネイル表示条件、及び、小サムネイル表示条件をデータベースのユーザ情報３１から読み込む。
【００８７】
ステップＳ１４では、読影装置１の制御部１１は、ステップＳ１３で読込んだ検査情報から大サムネイル表示条件、中サムネイル表示条件、及び小サムネイル表示条件に含まれるＤＩＣＯＭタグの情報（データ、値）を取得する。
【００８８】
また、ステップＳ１５及びステップＳ１７の分岐に替えて、読影装置１の制御部１１は、ステップＳ１４で取得したＤＩＣＯＭタグの情報（データ、値）が、小サムネイル表示条件を満たす場合には、ステップＳ１６へ移動し、中サムネイル表示条件を満たす場合には、ステップＳ１８へ移動し、大サムネイル表示条件を満たす場合には、ステップＳ１９へ移動するようにする。
【００８９】
＜＜第２の実施形態の変更点＞＞
第２の実施形態では、大サムネイル表示条件、中サムネイル表示条件、及び、小サムネイル表示条件に含まれるＤＩＣＯＭタグのみを参照し対応する条件は参照しない。
【００９０】
図８の第２の実施形態に係るサムネイルを表示する処理のフローチャートにおける変更点は以下のとおりである。
【００９１】
ステップＳ３２では、読影装置１の制御部１１は、参照画像の検査情報から、大サムネイル表示条件、中サムネイル表示条件、及び小サムネイル表示条件に含まれるＤＩＣＯＭタグの情報（データ、値）を取得する。
【００９２】
ステップＳ３５では、読影装置１の制御部１１は、ステップＳ３４で読込んだ検査情報から大サムネイル表示条件、中サムネイル表示条件、及び小サムネイル表示条件に含まれるＤＩＣＯＭタグの情報（データ、値）を取得する。
【００９３】
また、ステップＳ３６及びステップＳ３８の分岐に替えて、読影装置１の制御部１１は、ステップＳ３５で取得したＤＩＣＯＭタグの情報（データ、値）と、ステップＳ３２で取得した参照画像のＤＩＣＯＭタグの情報（データ、値）とを比較して、大サムネイル表示条件に含まれるＤＩＣＯＭタグにおいて一致している場合には、ステップＳ４０へ移動し、中サムネイル表示条件に含まれるＤＩＣＯＭタグにおいて一致している場合には、ステップＳ３９へ移動し、小サムネイル表示条件に含まれるＤＩＣＯＭタグにおいて一致している場合には、ステップＳ３７へ移動するようにする。
【００９４】
第３実施形態の読影装置１によれば、前述した効果に加えて、ユーザの好みに応じて検査の重要度や関連性の定義を柔軟に変更することができる。
【００９５】
以上、添付図面を参照しながら、本発明に係る読影装置等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００９６】
１……………………読影装置
２……………………画像サーバ
３……………………ネットワーク
４……………………院内システム
１１…………………制御部
１２…………………記憶部
１６…………………表示部
３１…………………ユーザ情報
３２…………………ユーザＩＤ
３３…………………ユーザ設定モダリティ
３４…………………ユーザ設定部位
３５…………………サムネイルサイズ
４１…………………読影画面（参照画面）
４２…………………サムネイルリスト部
４３…………………画像表示部
５１…………………大サムネイルリストエリア
５２…………………中サムネイルリストエリア
５３…………………小サムネイルリストエリア
５４…………………大サムネイル
５５…………………中サムネイル
５６…………………小サムネイル
１０１………………条件設定画面
【図１】
2016148972.tif 000003
【図２】
2016148972.tif 000004
【図３】
2016148972.tif 000005
【図４】
2016148972.tif 000006
【図５】
2016148972.tif 000007
【図６】
2016148972.tif 000008
【図７】
2016148972.tif 000009
【図８】
2016148972.tif 000010
【図９】
2016148972.tif 000011
【図１０】
2016148972.tif 000012